(57)【特許請求の範囲】
【請求項１】
食品を収納する本体枠で囲まれた加熱室と、
前記本体枠の前面に位置し、前記加熱室に繋がる開口とコントロールパネルの配線を通すための配線用孔と前記開口の左に位置する左枠と前記開口と前記配線用孔との間に位置し該左枠より強度の弱い右枠とを有する前面板と、
前記本体枠の左右にそれぞれ取り付け、その最前部が前記左枠及び前記右枠に突当たるように設けられたローラ台と、
前記左枠に突当たる前記ローラ台に形成された対向部と、
前記右枠に突当たる前記ローラ台に形成されたストッパと、
前記加熱室に繋がる開口を開閉するドアと、
前記ドアの左右に設けられ、ドアアーム支点とドア回動支点とを有する回動板と、
前記ローラ台に取り付けられ、一端を前記回動板の前記ドア回動支点に固定するドア支え板と、
前記左枠側及び前記右枠側それぞれに配置し、一端を前記ローラ台にばねを介して取り付けられ、他端を前記ドアアーム支点に固定され、前記ドア開状態に前記ローラ台の対向部及びストッパに支持される対向部を有するドアアームと、
前記ローラ台のそれぞれに取り付けられ、前記ドアアームと接するローラとを備え、
前記ドアの開状態において、前記左枠側の前記ドアアームと前記ローラとの接点から前記ローラ台の対向部までの距離は、前記右枠側の前記ドアアームと前記ローラとの接点から前記ローラ台のストッパまでの距離より短いことを特徴とする高周波加熱装置。
【請求項２】
前記ローラ台の対向部の形成された位置は、前記ローラ台のストッパの位置より低く配置されていることを特徴とする請求項１に記載の高周波加熱装置。
【請求項３】
食品を収納する本体枠で囲まれた加熱室と、
前記本体枠の前面に位置し、前記加熱室に繋がる開口とコントロールパネルの配線を通すための配線用孔と前記開口の左に位置する左枠と前記開口と前記配線用孔との間に位置し該左枠より強度の弱い右枠とを有する前面板と、
前記本体枠の左右にそれぞれ取り付け、その最前部が前記左枠及び前記右枠に突当たるように設けられたローラ台と、
前記左枠に突当たる前記ローラ台に形成された対向部と、
前記右枠に突当たる前記ローラ台に形成されたストッパと、
前記加熱室に繋がる開口を開閉するドアと、
前記ドアの左右に設けられ、ドアアーム支点とドア回動支点とを有する回動板と、
前記ローラ台に取り付けられ、一端を前記回動板の前記ドア回動支点に固定するドア支え板と、
前記左枠側及び前記右枠側それぞれに配置し、一端を前記ローラ台にばねを介して取り付けられ、他端を前記ドアアーム支点に固定され、前記ドア開状態に前記ローラ台の対向部及びストッパに支持される対向部を有するドアアームと、
前記ローラ台のそれぞれに取り付けられ、前記ドアアームと接するローラとを備え、
前記ドアを開く際に、前記右枠側の前記ドアアームが前記ローラ台のストッパに力を及ぼすより先に、前記左枠側の前記ドアアームが前記ローラ台の対向部に力を及ぼすよう構成することを特徴とする高周波加熱装置。
【発明の詳細な説明】
【０００１】
【発明の属する技術分野】
本発明は、電子レンジ等の高周波加熱装置に関し、特に、加熱室の前面に位置し、加熱室内部に繋がる開口の一方側および他方側にドア支持部材を備える前面板を含む高周波加熱装置に関する。
【０００２】
【従来の技術】
高周波加熱装置は、主に、加熱室を含む本体と、本体の加熱室にアクセスするためのドアから構成される。図５に、高周波加熱装置の一例の電子レンジの本体の分解斜視図を示す。本体は、主に、加熱室５０を囲む本体枠５と、本体枠５の外郭を覆うフレーム４と、本体枠５の底面を覆う底板１０と、ユーザが高周波加熱装置を操作するために用いるスイッチ等が設けられたコントロールパネル（図示略）から構成される。
【０００３】
本体枠５は、その前面に、前面板７を有している。前面板７は、加熱室５０に対して上、下、左、右にそれぞれ位置し、かつ加熱室５０の開口部に繋がる上枠７１、下枠７２、左枠７３、右枠７４を含む。また、７５０は、コントロールパネル（図示略）の配線を通すための配線用孔である。前面板７は、配線用孔７５０の右側にある右端枠７５をさらに含む。そして、フレーム４は、本体枠５の外郭を覆う際、上枠７１、左枠７３および右端枠７５を覆う。
【０００４】
電子レンジに備えられるドアは、上枠７１、下枠７２、左枠７３、右枠７４により囲まれる開口（加熱室５０の開口部）を開閉するために設けられる。また、電子レンジは、ドアが閉状態にあるとき前面板７に密着することにより、加熱室５０内に放射される高周波の電波を加熱室５０の外へ漏らさないように構成されている。
【０００５】
このような本体の構成を有する従来の高周波加熱装置の中には、加熱室５０の左右にある左枠７３および右枠７４に、当該ドアの支持部材を備えるものがあった。そして、左枠７３上の支持部材と右枠７４上の支持部材は、同様の力でドアを支えていた。
【０００６】
【発明が解決しようとする課題】
しかしながら、左枠７３と右枠７４にドアを支持する支持部材を備えた従来の高周波加熱装置では、使用に伴って、右枠７４のみが変形する場合があった。これは、右枠７４の方が左枠７３よりも強度が低くなるためである。つまり、左枠７３の左右両端はフレーム４または加熱室５０で支えられるが、コントロールパネルを設ける関係上、右枠７４の右端をフレーム４で支えることができず、右枠７４の右端を何によっても支えることができないためである。
【０００７】
右枠７４が変形すると、前面板７がドアと密着しなくなり、加熱室５０内に放射される高周波の電波が加熱室５０の外へ漏れるという問題が生じる。
【０００８】
そこで、右枠７４を厚くする等の設計変更を行なうことや、前面板７の材料を変更することが考えられるが、これにより、高周波加熱装置のコストが増加するという問題が生じる。
【０００９】
本発明は、かかる実情に鑑み考え出されたものであり、その目的は、加熱室から高周波の電波を漏らさない高周波加熱装置を低コストで提供することである。
【００１０】
【課題を解決するための手段】
請求項１に記載の発明は、食品を収納する本体枠で囲まれた加熱室と、前記本体枠の前面に位置し、前記加熱室に繋がる開口とコントロールパネルの配線を通すための配線用孔と前記開口の左に位置する左枠と前記開口と前記配線用孔との間に位置し該左枠より強度の弱い右枠とを有する前面板と、前記本体枠の左右にそれぞれ取り付け、その最前部が前記左枠及び前記右枠に突当たるように設けられたローラ台と、前記左枠に突当たる前記ローラ台に形成された対向部と、前記右枠に突当たる前記ローラ台に形成されたストッパと、前記加熱室に繋がる開口を開閉するドアと、前記ドアの左右に設けられ、ドアアーム支点とドア回動支点とを有する回動板と、前記ローラ台に取り付けられ、一端を前記回動板の前記ドア回動支点に固定するドア支え板と、前記左枠側及び前記右枠側それぞれに配置し、一端を前記ローラ台にばねを介して取り付けられ、他端を前記ドアアーム支点に固定され、前記ドア開状態に前記ローラ台の対向部及びストッパに支持される対向部を有するドアアームと、前記ローラ台のそれぞれに取り付けられ、前記ドアアームと接するローラとを備え、前記ドアの開状態において、前記左枠側の前記ドアアームと前記ローラとの接点から前記ローラ台の対向部までの距離は、前記右枠側の前記ドアアームと前記ローラとの接点から前記ローラ台のストッパまでの距離より短いことを特徴としている。
【００１１】
請求項１に記載の発明によると、前面板の材料を強固なものに変更しなくとも前面板が変形しにくくなり、使用に伴ったドアと前面板との位置関係の変化を抑えることができるため、加熱室から高周波の電波を漏らさない高周波加熱装置を低コストで提供することができる。
【００１２】
また、容易に製造でき、かつ前面板が変形しにくく加熱室から高周波の電波を漏らさない高周波加熱装置を低コストで提供することができる。
【００１３】
請求項２に記載の発明は、請求項１に記載の発明にかかる加熱調理装置の構成に加えて、前記ローラ台の対向部の形成された位置は、前記ローラ台のストッパの位置より低く配置されていることを特徴としている。
【００１４】
請求項２に記載の発明によると、請求項１に記載の発明による作用に加えて、前記ドアアームが前記ローラ台のストッパに及ぼす力より大きな力がかかる前記ローラ台の対向部の位置を前記ストッパより低くすることにより、高周波加熱装置のバランスが調整される。
【００１５】
請求項３に記載の発明は、食品を収納する本体枠で囲まれた加熱室と、前記本体枠の前面に位置し、前記加熱室に繋がる開口とコントロールパネルの配線を通すための配線用孔と前記開口の左に位置する左枠と前記開口と前記配線用孔との間に位置し該左枠より強度の弱い右枠とを有する前面板と、前記本体枠の左右にそれぞれ取り付け、その最前部が前記左枠及び前記右枠に突当たるように設けられたローラ台と、前記左枠に突当たる前記ローラ台に形成された対向部と、前記右枠に突当たる前記ローラ台に形成されたストッパと、前記加熱室に繋がる開口を開閉するドアと、前記ドアの左右に設けられ、ドアアーム支点とドア回動支点とを有する回動板と、前記ローラ台に取り付けられ、一端を前記回動板の前記ドア回動支点に固定するドア支え板と、前記左枠側及び前記右枠側それぞれに配置し、一端を前記ローラ台にばねを介して取り付けられ、他端を前記ドアアーム支点に固定され、前記ドア開状態に前記ローラ台の対向部及びストッパに支持される対向部を有するドアアームと、前記ローラ台のそれぞれに取り付けられ、前記ドアアームと接するローラとを備え、前記ドアを開く際に、前記右枠側の前記ドアアームが前記ローラ台のストッパに力を及ぼすより先に、前記左枠側の前記ドアアームが前記ローラ台の対向部に力を及ぼすよう構成することを特徴としている。
【００１６】
請求項３に記載の発明によると、請求項１と同様に、容易に製造でき、かつ前面板が変形しにくく加熱室から高周波の電波を漏らさない高周波加熱装置を提供することができる。
【００１７】
【発明の実施の形態】
以下、図面を用いて本発明の加熱調理装置の実施の形態の一例を説明する。
【００１８】
図１（ａ）に、本発明の加熱調理装置の一例の電子レンジの斜視図を示す。電子レンジ１は、主に、本体２とドア３とからなる。本体２には、本体２の外郭を覆うフレーム４と、コントロールパネル６と、底面で電子レンジ１を支持する複数の脚８が設けられている。なお、コントロールパネル６は、ユーザが電子レンジ１を操作するために、電子レンジ１の前面に設けられている。また、ドア３には、ユーザがドア３を開閉する際につかむ取手３ａが設けられている。そして、図５は、図１の本体２の分解斜視図に相当する。
【００１９】
図１（ｂ）は、図１（ａ）のドア３が手前に開かれた状態を示している。ドア３の奥の本体２内部には、加熱室５０が設けられている。また、電子レンジ１では、加熱室５０内の食品を加熱するための図示せぬマグネトロンと、該マグネトロンに電力を供給する図示せぬトランスが、コントロールパネル６の奥、つまり加熱室５０の右側に備えられている。
【００２０】
また、加熱室５０の前面には、加熱室５０に繋がる開口を有する前面板７が備えられている。電子レンジ１は、ドア３が閉状態にあるときに前面板７に密着することにより、加熱室５０から外部に高周波の電波を漏らさないように構成されている。
【００２１】
次に、本体枠５とドア３の接続について説明する。本体枠５とドア３は、後述するドアアーム５５、１５５で接続されている。なお、ドアアーム５５、１５５は、本体枠５の左枠７３、右枠７４の一部に形成された図示せぬ開口をそれぞれ通って、本体枠５とドア３を接続している。
【００２２】
図２に、上記のドアアーム５５、１５５およびこれらの周辺の部材を示す。図２（ａ）は、本体枠５およびドア３の部分的な左側面図であり、図２（ｂ）は、これらの部分的な右側面図である。なお、図２（ａ）、図２（ｂ）は左枠７３、右枠７４に垂直な面を示しているが、左枠７３、右枠７４の図示は、省略している。また、図２（ａ）および図２（ｂ）は、ともに、ドア３を開いた状態を示す。
【００２３】
電子レンジ１では、本体枠５の左右壁面に、それぞれローラ台５６、１５６が取付けられている。なお、ローラ台５６は、その最前部である対向部５６ｂが、前面枠７の左枠７３（図５参照）に突当たるように設けられている。また、ローラ台１５６は、その最前部に、部分的に加熱室５０とは反対側に折返されて形成されたストッパ１５６ａを備えている。そして、ストッパ１５６ａは、右枠７４（図５参照）に突当たるように設けられている。
【００２４】
ローラ台５６、１５６上には、それぞれ、ドア支え板５８、１５８の一部と、ローラ５７、１５７が取付けられている。また、ばね５９、１５９の一端は、それぞれローラ台５６、１５６に取付けられ、他端は、それぞれドアアーム５５、１５５の一端に取付けられている。
【００２５】
ドア３は、左右に回動板３１、１３１を備えている。回動板３１、１３１上には、それぞれ、ドアアーム支点３２、１３２とドア回動支点３３、１３３が設けられている。そして、ドアアーム５５、１５５の他端は、それぞれ、ドアアーム支点３２、１３２に固定されている。また、ドア支え板５８、１５８の一端は、それぞれ、ドア回動支点３３、１３３に固定されている。
【００２６】
ドア３を図２（ａ）および図２（ｂ）に示す状態から閉状態にするとき、ドアアーム５５は、ローラ５７との接点を凹部５５ｂに向けて移動させながら、ローラ５７との接点を支点として、図の反時計方向に回転する。また、ドアアーム１５５は、ローラ１５７との接点を凹部１５５ｂに向けて移動させながら、ローラ１５７との接点を支点として、図の時計方向に回転する。なお、ローラ５７、１５７のそれぞれ一端には、ローラ５７、１５７上を移動するドアアーム５５、１５５をガイドするためのローラガイド５７ａ、１５７ａが設けられている。そして、ドアアーム５５、１５５は、それぞれ、ローラ台５６、１５６とローラガイド５７ａ、１５７ａの間を通過する。なお、ドア３を閉じると、ローラ５７、１５７は、それぞれドアアーム５５、１５５上の凹部５５ｂ、１５５ｂに嵌め込まれる。
【００２７】
以上、電子レンジ１では、主に、本体枠５、ドアアーム５５、１５５、ローラ台５６、１５６、ローラ５７、１５７、回動板３１、１３１およびドアアーム支点３２、１３２により、ドア３と本体枠５の接続部材が構成されている。
【００２８】
ドアアーム５５には、その後部（図２（ａ）中では左部）が一部本体枠５側に折返され、折返し部５５ａが形成されている。そして、図２（ａ）に示すようにドア３が開状態にあるとき、折返し部５５ａは、ローラ台５６の上部の対向部５６ａに引っ掛かる。また、図２（ｂ）を参照して、ドア３が開状態にあるとき、ドアアーム１５５内の対向部１５５ａがローラ台１５６のストッパ１５６ａに突当たっている。
【００２９】
以上のことから、ドア３が開状態にあるとき、ドア３は本体枠５上のローラ台５６、１５６に設けられた対向部５６ａ、ストッパ１５６ａにより支持されることになる。なお、ローラ台５６、１５６は、それぞれ左枠７３、右枠７４に突当たるように設けられている。したがって、対向部５６ａ、ストッパ１５６ａにドア３を支持するために前方向に力がかかった場合、その力は、左枠７３、右枠７４にそれぞれ伝えられる。
【００３０】
一方、前面板７の構造から、右枠７４の方が左枠７３よりも強度が低くなる（図５参照）。そこで、電子レンジ１では、ストッパ１５６ａにかかる力を対向部５６ａにかかる力よりも小さくし、右枠７４に伝えられる力を左枠７３に伝えられる力よりも小さくしている。つまり、電子レンジ１では、ある重量のドア３を対向部５６ａ、ストッパ１５６ａにより支持する場合に、右枠７４の強度を左枠７３の強度でカバーするようにして、右枠７４の変形を抑えるようにしている。
【００３１】
なお、ドアアーム５５、１５５は、ドア３を支えるために、ばね５９、１５９を引っ張る。しかし、上記の対向部５６ａ、ストッパ１５６ａにかかる力の大きさに比べて、ドアアーム５５、１５５がばね５９、１５９を引っ張る力は、通常、かなり小さいと考えられる。そこで、本実施の形態では、ドア３を支える際にドアアーム５５、１５５が及ぼす力として、上記の２つの力のみを考慮し、ばね５９、１５９を引っ張る力を考慮しないこととする。
【００３２】
ドア３を支える場合には、ドアアーム５５、１５５は、それぞれ梃子として働くと考えられる。ドア３が開いた状態では、ドアアーム５５、１５５において、ドアアーム支点３２、１３２との接点は力点となり、ローラ５７、１５７との接点は支点となり、対向部５６ａ、ストッパ１５６ａとの接点は作用点となる。
【００３３】
一方、梃子の原理では、力点から支点までの距離が等しくかつ力点に同じ力が加えられた場合、支点から作用点までの距離が近いほど作用点で作用する力は大きくなる。そこで、電子レンジ１では、開いた状態にあるドア３と本体枠５の接続部材において、左側の梃子（ドアアーム５５）の支点から作用点までの距離（図２（ａ）中のＡ）の方が右側の梃子（ドアアーム１５５）の対応する距離（図２（ｂ）中のＢ）よりも短くなっている。つまり、ローラ５７から折返し部５５ａまでの距離（Ａ）は、ローラ１５７から対向部１５５ａまでの距離（Ｂ）よりも短くなっている。したがって、左側の梃子の作用点には、右側の梃子の作用点よりも大きな力が加えられる。つまり、ドアアーム５５が対向部５６ａに及ぼす力とドアアーム１５５がストッパ１５６ａに及ぼす力という２つの力では、前者の力の方が後者の力よりも大きくなる。
【００３４】
これにより、電子レンジ１では、ドア３を支持する際に、右枠７４に伝えられる力が左枠７３に伝えられる力よりも小さくなる。そして、電子レンジ１がこのように構成されることから、前面板７が変形しにくくなる。前面板７が変形すると、前面板７とドア３との密着度が低下するため、加熱室５０内の高周波の電波が加熱室５０から外部へ漏れやすくなる不都合を生じるが、電子レンジ１では、この不都合を回避することができる。
【００３５】
なお、ローラ５７から折返し部５５ａまでの距離（Ａ）とローラ１５７から対向部１５５ａまでの距離（Ｂ）の比は、たとえば、Ａ／Ｂ＝３／１０とすることができる。なお、電子レンジ１の全体的な構造から考えると、Ａ／Ｂ＝１／１０〜３／１０が好ましい範囲と考えられる。
【００３６】
なお、電子レンジ１では、加熱室５０の右側にある右枠７４に伝えられる力が、左側にある左枠７３に伝えられる力よりも小さくなるため、全体的なバランスに問題を生じる場合がある。そこで、電子レンジ１では、左枠７３に力を及ぼす対向部５６ａの高さ（図３（ａ）のｘ）を、右枠７４に力を及ぼすストッパ１５６ａの高さ（図３（ｂ）のｙ）よりも低くしている。つまり、ストッパ１５６ａにかかる力よりも大きな力のかかる対向部５６ａの位置をストッパ１５６ａの位置より低くすることにより、電子レンジ１の全体としてのバランスを調整している。なお、図３は、対向部５６ａとストッパ１５６ａの高さを比較するために、図２から一部の符号を削除したものである。
【００３７】
以上説明した本実施の形態では、ドア３により、前面板を含む面に交わる第１の方向に前面板の開口を開閉するためのドアが構成されている。ここで、第１の方向とは、図４の両矢印Ｐで示す、電子レンジ１の奥行き方向である。なお、本実施の形態における前面板の開口とは、前面板７と加熱室５０の接続部、つまり、加熱室５０の開口である。
【００３８】
また、本実施の形態では、前面板７の左枠７３により、開口（加熱室５０の開口）に対して前面板を含む面内の第２の方向の一方側に位置する第１の枠部が構成されている。また、前面板７の右枠７４により、開口に対して第２の方向の他方側に位置し、第１の枠部より強度の低い第２の枠部が構成されている。ここで、第２の方向とは、図４の両矢印Ｑで示す方向である。
【００３９】
また、前述のように、ローラ台５６、１５６は、それぞれ左枠７３、右枠７４に突当たるように構成されている。つまり、ローラ台５６、１５６は、概ね、左枠７３、右枠７４に一体的に設けられていることになる。したがって、対向部５６ａ、ストッパ１５６ａも、それぞれ、概ね、左枠７３、右枠７４に一体的に設けられていることになる。したがって、本実施の形態では、対向部５６ａおよびストッパ１５６ａにより、第１の枠部および第２の枠部に設けられ、ドアの開閉時にドアを支持する第１および第２のドア支持部材が構成されている。
【００４０】
また、本実施の形態においては、本体枠５、ドアアーム５５、１５５、ローラ台５６、１５６、ローラ５７、１５７、回動板３１、１３１およびドアアーム支点３２、１３２により構成されるドア３と本体枠５の接続部材により、第１のドア支持部材の支持する重量が、第２のドア支持部材の支持する重量より大きくなるように調整する調整機構が構成されている。
【００４１】
なお、本実施の形態では、電子レンジ１において、図２（ａ）の距離Ａを、図２（ｂ）の距離Ｂよりも短くしているが、ドアアーム５５が対向部５６ａに及ぼす力をドアアーム１５５がストッパ１５６ａに及ぼす力より大きくする方法はこれに限定されるものではない。このような方法の別の態様として、たとえば、対向部５６ａ、ストッパ１５６ａの厚み等を適切に変更することにより、ドアアーム１５５がストッパ１５６ａに力を及ぼすより先に、ドアアーム５５が対向部５６ａに力を及ぼすように構成することが挙げられる。この構成では、ドアアーム１５５内の対向部１５５ａがローラ台１５６のストッパ１５６ａに突当たるよりも先に、ドアアーム５５の折返し部５５ａがローラ台５６の上部の対向部５６ａに引っ掛かる。なお、この構成では、ドアアーム５５の折返し部５５ａがローラ台５６の上部の対向部５６ａに引っ掛かった後、対向部５６ａ等が撓ることにより、ドアアーム１５５内の対向部１５５ａがローラ台１５６のストッパ１５６ａに突当たる。
【図面の簡単な説明】
【図１】加熱調理装置の一例の電子レンジの斜視図である。
【図２】図１の電子レンジの本体枠とドアの接続部材を示す図である。
【図３】図２の接続部材における本体枠とドアアームの接点の高さが左右で異なることを説明するための図である。
【図４】本実施の形態の加熱調理装置についての第１の方向および第２の方向を説明するための図である。
【図５】図１の電子レンジの本体の分解斜視図である。
【符号の説明】
１  電子レンジ
２  本体
３  ドア
５  本体枠
３１、１３１  回動板
３２、１３２  ドアアーム支点
３３、１３３  ドア回動支点
５０  加熱室
５５、１５５  ドアアーム
５５ａ、５５ｃ  折返し部
５６、１５６  ローラ台
５６ａ、５６ｂ、１５５ａ  対向部
５７、１５７  ローラ
１５６ａ  ストッパ
【図１】
0003619647.tif 000002
【図２】
0003619647.tif 000003
【図３】
0003619647.tif 000004
【図４】
0003619647.tif 000005
【図５】
0003619647.tif 000006